(57)【要約】【課題】  内部のスイッチや携帯型設定／調整装置で設定変更などの操作が行われると、その操作を機器管理ツールが検出することができないので、変更履歴が不完全になってしまうという課題を解決する。【解決手段】  伝送器内部に、設定変更などの操作が行われたことを検知する設定変更検知部を設け、この設定変更検知部が操作を検知すると、マイクロプロセッサがその履歴を内部の不揮発性メモリに書き込むようにした。また、停電検知部を設け、電源オン・オフの履歴も書き込むようにした。異常が発生したときの原因究明が簡単になり、かつ設定を前の値に戻すことができる。【選択図】                    図１
2005070936.tif 000002
【特許請求の範囲】
【請求項１】
プロセス現場に設置され、通信ラインによってこのプロセス現場からの信号を伝送するか、または前記プロセス現場に信号を伝送する伝送器において、
前記伝送器の内部に設置され、この伝送器が操作されたことを検出する操作検出部と、前記伝送器が操作されたことを前記操作検出部が検出したときに、その操作履歴を格納する不揮発性メモリとを具備したことを特徴とする伝送器。
【請求項２】
前記操作は、前記通信ラインを介して行われるものであることを特徴とする請求項１記載の伝送器。
【請求項３】
前記操作は、前記伝送器内部に設けられたスイッチによって行われることを特徴とする請求項１または請求項２記載の伝送器。
【請求項４】
前記操作は、設定量の変更であることを特徴とする請求項１ないし請求項３いずれかに記載の伝送器。
【請求項５】
前記操作履歴には、少なくとも操作の種類と、操作を行う前の状態と、操作を行った後の状態と、操作したタイムスタンプが含まれることを特徴とする請求項１ないし請求項４いずれかに記載の伝送器。
【請求項６】
前記伝送器に供給される電源のオン・オフを検出する停電検出部を有し、この停電検出部が前記電源のオン・オフを検出したときに、前記不揮発性メモリにその履歴を格納するようにしたことを特徴とする請求項１ないし請求項５いずれかに記載の伝送器。
【発明の詳細な説明】
【技術分野】
【０００１】
この発明は、携帯型設定・調整装置や内部の調整スイッチなどによって行われた設定などの操作変更履歴を保存することができる伝送器に関するものである。
【背景技術】
【０００２】
図３に２線式伝送器の構成を示す。５は２線式伝送器であり、その内部のマイクロプロセッサ５１は図示しないセンサからの信号を加工してＤ／Ａコンバータ５３に出力する。Ｄ／Ａコンバータ５３はこの信号をアナログ信号に変換して出力回路５４に出力する。出力回路５４は入力された信号を４〜２０ｍＡなどの電流信号に変換して、通信ライン８を介して外部に出力する。メモリ５２には設定値などが保存される。
【０００３】
このような２線式伝送器の設定変更や調整は、通信ライン８に接続された機器管理ツール６により行われる。機器管理ツール６は通信ライン８を介して２線式伝送器５に設定変更要求を送信する。この設定変更要求は通信インターフェイス５５を介してマイクロプロセッサ５１に伝達される。
【０００４】
マイクロプロセッサ５１は設定変更を行い、設定完了報告を通信インターフェイス５５および通信ライン８を介して機器管理ツール６に送信する。機器管理ツール６はこの設定完了報告を受信すると、設定変更内容を設定変更履歴としてその内部メモリに格納する。このようにして、２線式伝送器５の設定変更履歴を管理する。
【０００５】
尚、内部メモリ等に記録する装置の先行文献としては次のようなものがある。
【０００６】
【特許文献１】特開平５−１０８１８７号公報
【発明の開示】
【発明が解決しようとする課題】
【０００７】
しかしながら、このような設定変更履歴の管理手法には次のような課題があった。
【０００８】
２線式伝送器５の設定変更や調整は機器管理ツール６だけでなく、通信ライン８に接続された携帯設定／調整装置７あるいは２線式伝送器５に内蔵されている設定／調整スイッチ５６によっても行われる。このような携帯設定／調整装置７や設定／調整スイッチ５６で設定や調整が行われると、機器管理ツール６はその設定変更や調整を検知することができないため、設定変更履歴を残すことができない。そのため、設定変更履歴が不完全になってしまうという課題があった。
【０００９】
また、２線式伝送器５の電源オン・オフの情報は通信ライン８には送信されない。機器管理ツール６は通信ライン８に流れるデータを監視して設定変更履歴を更新するので、電源のオン・オフ情報の履歴を管理することが困難であるという課題もあった。
【００１０】
従って本発明の目的は、どのような手段を用いて設定変更や調整などの操作が行われても、その履歴を保存することができる機能を有する伝送器を提供することにある。
【課題を解決するための手段】
【００１１】
このような課題を解決するために、本発明のうち請求項１記載の発明は、プロセス現場に設置され、通信ラインによってこのプロセス現場からの信号を伝送するか、または前記プロセス現場に信号を伝送する伝送器であって、前記伝送器の内部に設置され、この伝送器が操作されたことを検出する操作検出部と、前記伝送器が操作されたことを前記操作検出部が検出したときに、その操作履歴を格納する不揮発性メモリとを具備したものである。完全な履歴を得ることができる。
【００１２】
請求項２記載の発明は、請求項１記載の発明において、前記操作は、前記通信ラインを介して行われるものであることを特徴としたものである。
【００１３】
請求項３記載の発明は、請求項１記載または請求項２記載の発明において、前記操作は、前記伝送器内部に設置されたスイッチによって行われるものであることを特徴としたものである。
【００１４】
請求項４記載の発明は、請求項１ないし請求項３いずれかに記載の発明において、前記操作は、設定量の変更であることを特徴としたものである。
【００１５】
請求項５記載の発明は、請求項１ないし請求項４いずれかに記載の発明において、前記操作履歴には、少なくとも操作の種類と、操作を行う前の状態と、操作を行った後の状態と、操作したタイムスタンプが含まれるようにしたものである。前の状態に戻すことができる。
【００１６】
請求項６記載の発明は、請求項１ないし請求項５いずれかに記載の発明において、前記伝送器に供給される電源のオン・オフを検出する停電検出部を有し、この停電検出部が前記電源のオン・オフを検出したときに、前記不揮発性メモリにその履歴を格納するようにしたものである。電源オン・オフの履歴を保存することができる。
【発明の効果】
【００１７】
以上説明したことから明らかなように、本発明によれば次の効果が期待できる。
請求項１ないし請求項４記載の発明によれば、プロセス現場に設置される伝送器であって、操作検出部で前記伝送器が操作されたことを検出し、その履歴を不揮発性メモリに格納するようにした。また、前記操作は通信ラインを介して、または内部のスイッチによって行うようにした。
【００１８】
完全な操作履歴が保存されるので、トラブルがあったときに対策をとりやすくなるという効果がある。特に、現在運用されている伝送器の異常履歴や通信エラー履歴と同じ時系列で操作履歴を記録するようにすると、異常発生の原因究明や異常状態からの復帰が容易になるという効果もある。また、自動的に履歴が記録されるので、機器管理ツールから通信ラインを介して保存された履歴を読みとることにより、より正確な履歴管理を行うことができるという効果もある。
【００１９】
請求項５記載の発明によれば、請求項１ないし請求項４いずれかに記載の発明において、前記操作履歴には、少なくとも操作の種類と、操作を行う前の状態と、操作を行った後の状態と、操作したタイムスタンプが含まれるようにした。操作前の状態が保存されるので、操作前の状態に戻すことができるという効果がある。
【００２０】
請求項６記載の発明によれば、請求項１ないし請求項５いずれかに記載の発明において、停電検出部で伝送器の電源のオン・オフを検出し、不揮発性メモリにその履歴を記録するようにした。操作履歴に加えて電源オン・オフの履歴も記録されるので、より完全な運行記録が得られるという効果がある。また、それによってトラブル時の原因究明がより簡単になるという効果もある。
【発明を実施するための最良の形態】
【００２１】
以下に、図に基づいて本発明を詳細に説明する。
図１は本発明に係る操作履歴保存機能を有する２線式伝送器の一実施例の構成図である。なお、図３と同じ要素には同一符号を付し、説明を省略する。図１において、１は２線式伝送器、２は２線式伝送器１に内蔵されているマイクロプロセッサであり、図示しないセンサからの信号を加工してＤ／Ａコンバータ５３に出力する。
【００２２】
２１は操作検出部としての設定変更検知部であり、設定変更が発生したことを検知する。この設定変更検知部２１はマイクロプロセッサ２の機能の一部であり、ソフトウエアによって実現される。３はメモリであり、設定変更履歴を格納する。メモリ３は不揮発性メモリを用い、電源がオフになっても格納された値が保存されるようにする。４は停電検知部であり、通信ライン８を監視して停電を検知し、マイクロプロセッサ２に通知する。
【００２３】
次に、この実施例の動作を説明する。機器管理ツール６あるいは携帯設定／調整装置７を用いて、通信ライン８を介して設定変更や調整が行われると、設定変更検知部２１は設定変更や調整が行われたことを検知し、マイクロプロセッサ２に通知する。２線式伝送器１は設定変更あるいは調整を行い、マイクロプロセッサ２はこの設定変更や調整の履歴をメモリ３に格納する。
【００２４】
設定／調整スイッチ５６によって設定変更や調整が行われたときは、設定変更検知部２１がその設定変更あるいは調整が行われたことを検知して、マイクロプロセッサ２に通知する。２線式伝送器１は設定変更や調整を行い、マイクロプロセッサ２はその設定変更や調整の履歴をメモリ３に書き込む。
【００２５】
停電検知部４が電源のオン・オフを検知したときは、その旨をマイクロプロセッサ２に通知する。マイクロプロセッサ２は電源オン・オフの履歴をメモリ３に書き込む。
【００２６】
なお、電源がオフになり再度電源が投入されたときに、揮発性メモリに格納されたデータが保持されているか否かによって処理が異なる場合がある。そのため、停電検知部３が電源オフを検知したときに、オフ直前の情報をマイクロプロセッサ２に伝達する。マイクロプロセッサ２はこの情報をメモリ３に書き込むと共に、図示しない揮発性メモリに予め定められたキーワードを書き込む。
【００２７】
再度電源が投入されたときに、マイクロプロセッサ２はこのキーワードを読み出し、予め定められた値であるか否かをチェックする。予め定められた値でないと電源が完全に断になったと判断し、揮発性メモリの初期設定を行う。また、キーワードが一致すると揮発性メモリの内容は保持されているとして、初期設定を省略する。このようにすると、瞬停などで揮発性メモリの内容が保持されているときは、瞬停前の状態から継続して処理を行うことができる。
【００２８】
図２に保存する履歴の一例を示す。この例ではパラメータの種類、変更前の設定値、変更された設定値および変更されたタイムスタンプを表形式で格納する。このようにすると、変更の履歴を簡単に取り出すことができる。また、変更前の設定値に戻すことも簡単に行うことができる。
【００２９】
なお、この実施例では設定変更、調整、電源のオン・オフの履歴に着いて説明したが、これに限られるものではない。その他の操作の履歴を保存する用途にも使用することができる。また、本実施例は２線式伝送器について説明したが、必ずしも２線式に限られるものではない。また、バルブを操作する伝送器などに適用することもできる。
【図面の簡単な説明】
【００３０】
【図１】本発明の一実施例の構成図である。
【図２】保存する履歴項目の一例を示す図である。
【図３】従来の２線式伝送器の構成図である。
【符号の説明】
【００３１】
１  ２線式伝送器
２  マイクロプロセッサ
２１  設定変更検知部
３  メモリ
４  停電検知部
５５  通信インターフェイス
５６  設定／調整スイッチ
６  機器管理ツール
７  携帯設定／調整装置
８  通信ライン
【図１】
2005070936.tif 000003
【図２】
2005070936.tif 000004
【図３】
2005070936.tif 000005